(57)【要約】【課題】スピニングリールのリール本体において、リール本体にカバー部材を安価な構成で装着固定できるようにする。【解決手段】スピニングリールのリール本体２は、型成形により形成された蓋部材２ｂのカバー部３５の本体部材２ａ及び蓋部材２ｂが接離する方向に、すなわち型成形の抜き方向に、台座部材７０がねじ部材７１により固定されている。この状態で各種機構を装着した本体部材２ａに蓋部材２ｂが装着され、リール本体２の背面下部にカバー部材３８が装着される。そして、台座部材７０の本体部材２ａ及び蓋部材２ｂが接離する方向と交差する方向に、すなわち型成形の抜き方向と交差する方向に、カバー部材３８と本体部材２ａとがねじ部材７２により固定されている。【選択図】　　　図４
2004141102.tif 000002
【特許請求の範囲】
【請求項１】
釣竿に装着され、前方に釣り糸を繰り出し可能なスピニングリールのリール本体であって、
前記釣竿に装着される竿取付脚部と、
前記竿取付脚部と連設して設けられ、側部が開口する収納空間を内部に有する本体部材と、前記本体部材の開口を覆うように着脱自在に前記本体部材にねじ止めされる蓋部材とを有し、前記本体部材及び前記蓋部材の少なくともいずれかは型成形により形成されたリールボディと、
前記リールボディを覆うように後方から装着されるカバー部材と、
前記型成形により形成された前記本体部材及び前記蓋部材の少なくともいずれかの内周面に固定され、前記本体部材及び前記蓋部材が接離する方向と交差する方向に前記カバー部材を取り付け可能な固定手段を有する台座部材と、
を備えたスピニングリールのリール本体。
【請求項２】
前記台座部材は前記本体部材及び前記蓋部材の少なくともいずれかに前記本体部材及び前記蓋部材が接離する方向にねじ止め固定されている、請求項１に記載のスピニングリールのリール本体。
【請求項３】
前記固定手段はねじ部材の雄ねじが螺合する雌ねじである、請求項１又は２に記載のスピニングリールのリール本体。
【請求項４】
前記竿取付脚部は前記本体部材と一体成形されている、請求項１から３のいずれかに記載のスピニングリールのリール本体。
【請求項５】
前記竿取付脚部は前記蓋部材と一体成形されている、請求項１から３のいずれかに記載のスピニングリールのリール本体。
【発明の詳細な説明】
【０００１】
【発明の属する技術分野】
本発明は、リール本体、特に、前方に釣り糸を繰り出し可能なスピニングリールのリール本体に関する。
【０００２】
【従来の技術】
スピニングリールは、一般に、釣竿に装着されるリール本体と、リール本体に回転自在に取り付けられたハンドルと、リール本体に回転自在に装着され、ロータの前方でリール本体に前後移動自在に装着され釣り糸が外周に巻き付けられるスプールとを有している。
【０００３】
リール本体は、釣竿に装着される竿取付脚部と、竿取付脚部と一体成形されたリールボディとを備えている。リールボディは、側部が開口する収納空間を内部に有する本体部材を有しており、この本体部材の開口は蓋部材によって覆われている（たとえば、特許文献１参照）。
このようなリールボディを構成する本体部材または蓋部材は、合成樹脂の射出成形やアルミニウム合金のダイカスト成形等の型成形により竿取付脚部と一体成形されている。ここでは、型成形時の抜き方向は、本体部材及び蓋部材が接離する方向と同一方向になっている。
【０００４】
また、リール本体の後部及び下部には、リール本体を保護するために、カバー部材が装着されている。このカバー部材は、リール本体の後部及び下部に形成された装着部に、後方及び下方からねじ部材によりねじ止め固定されている。このように、カバー部材のねじ部材による装着方向は、本体部材及び蓋部材が接離する方向と交差する方向、すなわち型成形の抜き方向と交差する方向に形成されるため、本体部材または蓋部材を型成形した後に、ねじ部材の装着部をねじ加工等の後加工により形成するようにしている。
【０００５】
【特許文献１】
特開２００１−１０３８７９号公報
【０００６】
【発明が解決しようとする課題】
前記従来のリール本体では、カバー部材固定用の装着部は、本体部材または蓋部材を型成形した後に、ねじ加工して形成されている。このため、装着部の形成に手間がかかる。また、本体部材または蓋部材にねじ部を高精度に形成することは比較的困難であり、製造コストが高くなるおそれがある。
【０００７】
本発明の課題は、スピニングリールのリール本体において、リール本体にカバー部材を安価な構成で装着固定できるようにすることにある。
【０００８】
【課題を解決するための手段】
発明１に係るスピニングリールのリール本体は、釣竿に装着され前方に釣り糸を繰り出し可能なスピニングリールのリール本体であって、釣竿に装着される竿取付脚部と、竿取付脚部と連設して設けられたリールボディと、リールボディを覆うように後方から装着されるカバー部材と、台座部材とを備えている。リールボディは、側部が開口する収納空間を内部に有する本体部材と、本体部材の開口を覆うように着脱自在に本体部材にねじ止めされる蓋部材とを有し、本体部材及び蓋部材の少なくともいずれかは型成形により形成されている。台座部材は、型成形により形成された本体部材及び蓋部材の少なくともいずれかの内周面に固定され、本体部材及び蓋部材が接離する方向と交差する方向にカバー部材を取り付け可能な固定手段を有している。
【０００９】
このリール本体では、本体部材の開口を覆うように蓋部材が着脱自在にねじ止めされている。ここでは、型成形により形成された本体部材または蓋部材の内周面の本体部材及び蓋部材が接離する方向と交差する方向、すなわち型成形の抜き方向と交差する方向にカバー部材を取り付け可能な固定手段を有する台座部材を設けている。ここでは、台座部材にカバー部材の固定手段を設けているので、型成形により形成された本体部材または蓋部材にカバー部材の固定手段を設ける必要がなくなる。このため、たとえば固定手段として雌ねじを設ける場合、本体部材または蓋部材を型成形した後に、本体部材または蓋部材にねじ加工を施す必要がなくなるので、本体部材または蓋部材を高精度に形成しなくてよくなる。したがって、リール本体にカバー部材を安価な構成で装着固定できる。
【００１０】
発明２に係るリール本体は、発明１のリール本体において、台座部材は本体部材及び蓋部材の少なくともいずれかに本体部材及び蓋部材が接離する方向にねじ止め固定されている。この場合、台座部材を本体部材または蓋部材に容易に固定できる。また、台座部材は、本体部材及び蓋部材が接離する方向、すなわち型成形の抜き方向にねじ止め固定されるので、１回の型成形により本体部材または蓋部材にねじ装着孔を同時に形成できる。
【００１１】
発明３に係るリール本体は、発明１又は２のリール本体において、固定手段はねじ部材の雄ねじが螺合する雌ねじである。この場合、カバー部材を本体部材または蓋部材に容易かつ確実に固定できる。
発明４に係るリール本体は、発明１から３のいずれかのリール本体において、竿取付脚部は本体部材と一体成形されている。この場合、竿取付脚部と本体部材とが一体成形されているので、竿取付脚部と蓋部材とが一体成形されている場合に比して、蓋部材の構成が簡素になる。
【００１２】
発明５に係るリール本体は、発明１から３のいずれかのリール本体において、竿取付脚部は蓋部材と一体成形されている。この場合、竿取付脚部と蓋部材とが一体成形されているので、厚肉部分と薄肉部分との混在を少なくして本体部材を薄肉にして精度を高く維持し、取付脚部を厚肉にして強度を維持できるようになる。
【００１３】
【発明の実施の形態】
本発明の一実施形態を採用したスピニングリールは、図１及び図２に示すように、ハンドル１を回転自在に支持し釣竿に装着されるリール本体２と、ロータ３と、スプール４とを備えている。ロータ３は、スプール４に釣り糸を巻き付けるものであり、リール本体２の前部に回転自在に支持されている。スプール４は、外周面に釣り糸を巻き取るものであり、ロータ３の前部に前後移動自在に配置されている。なお、ハンドル１は、図１に示すリール本体２の左側と、図２に示すリール本体２の右側とのいずれにも装着可能である。
【００１４】
リール本体２は、図１から図５に示すように、ロータ３やスプール４を支持する本体部材２ａと、本体部材２ａに着脱自在にねじ止めされた蓋部材２ｂと、本体部材２ａ及び蓋部材２ｂにそれぞれ一体成形された第１及び第２フランジ部分２４ａ、２４ｂを有する円形のフランジ部２ｃとを主に有している。
本体部材２ａは、図３から図５に示すように、側部に形成された開口２５と、内部に形成された機構収納空間２６と、ロータ３のリール本体２側に形成された円形の凹陥部３ａ内に配置されるように形成されロータ３の回転軸である後述するピニオンギア１２を回転自在に支持する回転支持部２７と、ハンドル１の回転軸であるハンドル軸１０の一端を支持するためのボス部からなる第１ハンドル支持部２８ａとを有している。また、本体部材２ａの下部には、図５及び図７に示すように、側部が開口し内外を貫通するＵ字状の溝部２９が形成されている。
【００１５】
開口２５は、機構収納空間２６に各種の機構を装着するために前部を除く上下及び後部の三方に設けられている。機構収納空間２６には、図２に示すように、ロータ３を回転させるためのロータ駆動機構５と、スプール４を前後移動させて釣り糸を均一に巻き取るためのオシレーティング機構６とが設けられている。回転支持部２７は、機構収納空間２６の前部に一体成形された略半円形の第１フランジ部分２４ａにさらに略円柱状に一体成形されており、中心にピニオンギア１２が貫通する貫通孔２７ａ（図２参照）が形成されている。この回転支持部２７の前面には、後述する逆転防止機構５０のワンウェイクラッチ５１がねじ止め固定されている。
【００１６】
本体部材２ａの後部には、図２及び図５に示すように、逆転防止機構５０の操作機構５２の操作軸を支持するための揺動支持部２８ｃが形成されている。揺動支持部２８ｃは、半円形に蓋部材２ｂに向けて突出して形成されている。この揺動支持部２８ｃは、蓋部材２ｂの縁取り部３９より内側に形成された空間に配置される。また、本体部材２ａの後部には１／４円の突出したボス部２８ｄが形成されている。
【００１７】
蓋部材２ｂは、たとえばガラス繊維で強化されたポリアミド系合成樹脂製であり、射出成形等の型成形により形成された部材である。蓋部材２ｂは、図３、図４、図６及び図７に示すように、本体部材２ａの開口２５を覆いかつ内部に空間が形成され得るようにロータ装着側に壁部としての第２フランジ部分２４ｂが一体成形された薄肉のカバー部３５と、カバー部３５から上方に一体的に延びる竿取付脚部３６とを有している。カバー部３５の前部を除く上部及び後部には開口２５に対向して縁取り部３９が形成されている。この縁取り部３９には開口２５に密着するように段差が形成されている。カバー部３５の前部に、フランジ部２ｃの略半円形の第２フランジ部分２４ｂが形成されている。第２フランジ部分２４ｂの内方に突出する内側部分がカバー部３５を補強する壁部として機能している。また、カバー部３５の側部には、ハンドル軸１０の他端を支持するためのボス部からなる第２ハンドル支持部２８ｂが形成されている。
【００１８】
カバー部３５の内周面には、図４、図６及び図７に示すように、本体部材２ａ及び蓋部材２ｂが接離する方向に、後述するカバー部材３８取り付け用の台座部材７０が装着されている。台座部材７０は、本体部材２ａ及び蓋部材２ｂが接離する方向に形成された雌ねじ部７０ａと、雌ねじ部７０ａと交差する方向（上下方向）に形成された雌ねじ部７０ｂとを有している。カバー部３５の後方下部には、内外周を貫通する貫通孔３５ｆが形成されており、台座部材７０はカバー部３５の外周側から貫通孔３５ｆに挿入したねじ部材７１を雌ねじ部７０ａに螺合させることによって固定されている。
【００１９】
竿取付脚部３６は中実の厚肉部材であり、その先端は前後両側に延びており釣竿取付部３６ａとなっている。竿取付脚部３６からカバー部３５にかけて境界部分は、略半分の厚みに切り欠かれており、その切欠き部分に外側面が滑らかに連続するように本体部材２ａの上部が嵌め込まれている。
フランジ部２ｃは、円板状に形成されており、ロータ３の後部に形成された円形の凹陥部３ａを塞ぐように凹陥部３ａの端面と略同一面に配置されている。フランジ部２ｃは、前述したように本体部材２ａに一体成形された略半円形の第１フランジ部分２４ａと、蓋部材２ｂのカバー部３５に一体成形され第１フランジ部分２４ａとで円形となるような半円形の第２フランジ部分２４ｂとを有している。
【００２０】
リール本体２の竿取付脚部３６の背面部分には、銘板３７が固定されている。また、リール本体２の背面下部には、リール本体２を覆うように後方からカバー部材３８が装着されている。
カバー部材３８は、たとえばＡＢＳ樹脂などの合成樹脂にめっき処理したりステンレス合金を用いたりして傷つきにくくしたものであり、リール本体２の最も傷つきやすい部分を保護するものである。カバー部材３８の下部には、図２、図４及び図７に示すように、本体部材２ａ及び蓋部材２ｂが接離する方向と交差する方向に段付きの貫通孔３８ａが形成されている。カバー部材３８は、カバー部材３８の外周側から貫通孔３８ａに挿入したねじ部材７２を、本体部材２ａの溝部２９を挿通し、カバー部３５に固定された台座部材７０に形成された雌ねじ部７０ｂに螺合させることによって、本体部材２ａに固定されている。
【００２１】
ロータ駆動機構５は、図２に示すように、ハンドル１が固定されたハンドル軸１０とともに回転するフェースギアからなるマスターギア１１と、このマスターギア１１に噛み合うピニオンギア１２とを有している。ロータ３の回転軸であるピニオンギア１２は筒状に形成されており、その前部１２ａはロータ３の中心部を貫通しており、ナット１３によりロータ３と固定されている。ピニオンギア１２は、その軸方向の中間部と後端部とが、それぞれ回転支持部２７に装着された軸受１４ａと、それより後方に配置された軸受１４ｂとを介してリール本体２に回転自在に支持されている。
【００２２】
オシレーティング機構６は、スプール４の中心部にドラグ機構６０を介して連結されたスプール軸１５を前後方向に移動させてスプール４を同方向に移動させるための機構である。オシレーティング機構６は、スプール軸１５の下方に平行に配置された螺軸２１と、螺軸２１に沿って前後方向に移動するスライダ２２と、螺軸２１の先端に固定された中間ギア２３とを有している。スライダ２２にはスプール軸１５の後端が回転不能に固定されている。中間ギア２３は、図示しない減速機構を介してピニオンギア１２に噛み合っている。このため、オシレーティング機構６の前後移動速度が遅くなり、釣り糸をスプール４に緻密に巻き付ける密巻を実現できる。
【００２３】
第１及び第２ハンドル支持部２８ａ、２８ｂは本体部材２ａに設けられた筒状の部分であり、内部に図示しない軸受が装着されている。
ロータ３は、図２に示すように、円筒部３０と、円筒部３０の側方に互いに対向して設けられた第１ロータアーム３１及び第２ロータアーム３２とを有している。円筒部３０と両ロータアーム３１、３２とは一体成形されている。
【００２４】
円筒部３０の前部には前壁３３が形成されており、前壁３３の中央部にはボス３３ａが形成されている。このボス３３ａの貫通孔をピニオンギア１２の前部１２ａ及びスプール軸１５が貫通している。前壁３３の前方側にはナット１３が配置されており、このナット１３がピニオンギア１２の先端のネジ部に螺合している。円筒部３０の前壁３３より後方が凹陥部３ａとなっており、この凹陥部３ａの後端面と面一にフランジ部２ｃが本体部材２ａ及び蓋部材２ｂにそれぞれ一体成形されている。
【００２５】
第１ロータアーム３１の先端の外周側には第１ベール支持部材４０が揺動自在に装着されている。第１ベール支持部材４０の先端には、釣り糸をスプール４に案内するためにラインローラ４１が装着されている。また、第２ロータアーム３２の先端の外周側には、第２ベール支持部材４２が揺動自在に装着されている。第１ベール支持部材４０の先端のラインローラ４１と第２ベール支持部材４２との間にはベール４３が設けられている。これらのベール支持部材４０、４２、ラインローラ４１及びベール４３によりベールアーム４４が構成される。
【００２６】
ロータ３の円筒部３０の内部にはロータ３の逆転防止機構５０が配置されている。逆転防止機構５０は、ローラ型のワンウェイクラッチ５１と、ワンウェイクラッチ５１を作動状態及び非作動状態に切り換える操作機構５２とを有している。
スプール４は、ロータ３の第１ロータアーム３１と第２ロータアーム３２との間に配置されており、スプール軸１５の先端にドラグ機構６０を介して装着されている。
【００２７】
このような構成のスピニングリールでは、リール本体２を組み立てるには、図４及び図７に示すように、蓋部材２ｂのカバー部３５の本体部材２ａ及び蓋部材２ｂが接離する方向に、台座部材７０をねじ部材７１により固定する。この状態で、各種機構を装着した本体部材２ａに蓋部材２ｂを装着する。そして、リール本体２の背面下部にカバー部材３８を装着する。そして、台座部材７０の本体部材２ａ及び蓋部材２ｂが接離する方向と交差する方向に、カバー部材３８と本体部材２ａとをねじ部材７２により固定する。
【００２８】
このようなスピニングリールでは、このリール本体２には、型成形により形成された蓋部材２ｂの内周面の本体部材２ａ及び蓋部材２ｂが接離する方向と交差する方向、すなわち型成形の抜き方向と交差する方向にカバー部材３８を取り付け可能な台座部材７０が装着されている。ここでは、台座部材７０にカバー部材３８固定用の雌ねじ部７０ｂを設けているので、蓋部材２ｂにカバー部材３８固定用の雌ねじ部７０ｂを設ける必要がなくなる。このため、蓋部材２ｂを型成形した後に、蓋部材２ｂにねじ加工を施す必要がなくなるので、蓋部材２ｂを高精度に形成しなくてよくなる。したがって、リール本体２にカバー部材３８を安価な構成で装着固定できる。
【００２９】
〔他の実施形態〕
（ａ）　スピニングリールの形態は前記実施形態に限定されるものではなく、ドラグ機構を有するものや、逆転防止機構に代えてブレーキレーバを有する制動機構を装着したものにも本発明を適用できる。
（ｂ）　取付脚部やカバー部等の形状は本実施形態に限定されるものではない。
【００３０】
（ｃ）　前記実施形態では、第１フランジ部分２４ａや第２フランジ部分２４ｂを本体部材２ａやカバー部３５と一体成形したが、第２フランジ部分２４ｂの内側に突出する内側部分である壁部だけがカバー部３５と一体成形されていれば、他の部分は別体にしてもよい。
（ｄ）　前記実施形態では、台座部材７０は蓋部材２ｂに装着されていたが、型成形により形成された本体部材２ａに台座部材７０を装着してもよい。
【００３１】
（ｅ）　前記実施形態では、竿取付脚部３６は蓋部材２ｂと一体成形されていたが、本体部材２ａと竿取付脚部３６とを一体成形してもよい。
（ｆ）　前記実施形態では、カバー部材３８は、ねじ部材７２を本体部材２ａの溝部２９を挿通していたが、図８に示すように、本体部材２ａに開口を設け台座部材７０に直接カバー部材３８を取り付けるようにしてもよい。
【００３２】
【発明の効果】
本発明によれば、スピニングリールのリール本体において、型成形により形成された本体部材または蓋部材の内周面の本体部材及び蓋部材が接離する方向と交差する方向にカバー部材を取り付け可能な固定手段を有する台座部材を設けているので、リール本体にカバー部材を安価な構成で装着固定できる。
【図面の簡単な説明】
【図１】本発明の一実施形態によるスピニングリールの側面図。
【図２】前記スピニングリールの側面断面図。
【図３】前記スピニングリールの背面図。
【図４】リール本体の分解斜視図。
【図５】筐体部の斜視図。
【図６】蓋体部の側面図。
【図７】図６のＶＩ−ＶＩ断面図。
【図８】他の実施形態の図２に相当する図。
【符号の説明】
２　リール本体
２ａ　本体部材
２ｂ　蓋部材
３５　カバー部
３５ｆ　貫通孔
３６　竿取付脚部
３８　カバー部材
７０　台座部材
７０ａ、７０ｂ　雌ねじ部
７１、７２　ねじ部材
【図１】
2004141102.tif 000003
【図２】
2004141102.tif 000004
【図３】
2004141102.tif 000005
【図４】
2004141102.tif 000006
【図５】
2004141102.tif 000007
【図６】
2004141102.tif 000008
【図７】
2004141102.tif 000009
【図８】
2004141102.tif 000010